(57)【特許請求の範囲】
【請求項１】
循環スクリーン式除塵機のスクリーンのろ面を水流と平行に配設し、上流側からの水流をスクリーンのろ面の内側から外側に向けて通過させるようにした循環スクリーン式除塵機の流水トラフであって、該流水トラフを循環スクリーン式除塵機のスクリーンのろ面の内側上部に配設し、流水トラフの一端側より移送水と循環スクリーン式除塵機より掻き揚げたし渣とを供給して移送した後、流水トラフの他端側出口に、内端側を低位置でかつ複数枚のディスクを串挿した軸と流水トラフの内底部とが同じ高さとなり、出口端側を高位置になるように傾斜して複数段の階段状に配設した複数段のディスクスクリーンからなる水切り手段を設け、し渣を分離した移送水を循環スクリーン式除塵機のスクリーンの上流側に排出するようにしたことを特徴とする循環スクリーン式除塵機の流水トラフ。
【発明の詳細な説明】
【技術分野】
【０００１】
本発明は、流水トラフに関し、特に、下水処理場、ポンプ場などに設置された除塵機から掻き揚げたし渣を移送水と共に円滑に搬送した後、流水トラフの出口位置において移送水の水切りを行ってし渣分のみを後段設備に排出可能とした循環スクリーン式除塵機の流水トラフに関するものである。
【背景技術】
【０００２】
従来、下水処理場、ポンプ場などには、汚水或いは流水中に含まれるごみ（し渣）を除去するため、バースクリーンにレーキを昇降するようにしたレーキ式除塵機或いは特に限定されるものではないが、例えば、図３に示すように、循環スクリーン式除塵機が設置されている。そして、この除塵機等にて掻き揚げたし渣を後段設備へ円滑に移送するため、流水トラフが汎用されている。
【０００３】
しかし、この従来の流水トラフは、レーキ式除塵機においては、レーキ掻揚位置にて除塵機に沿うようにして配設するか、又は循環スクリーン式除塵機においては、エンドレス状となったスクリーンによるろ面の内上部に配設するようにし、かつ該傾斜したトラフの一端側から掻き揚げたし渣と移送水とを供給し、トラフの傾斜に応じて低位置にあるトラフ他端側へ流水力を利用して移送した後、トラフ端部から移送水と共に後段設備側へ排出するようにしている。
【０００４】
ところで、トラフ端部から排出されるし渣には、多量の移送水が含まれるため、排出し渣は極めて含水率の高いものとなり、これを直接後段設備へ投入することはできないため、この移送水と共に排出されたし渣は、別設の脱水手段、特に限定されるものではないが、例えば、スクリューコンベアなどにて所要の含水率になるまで脱水した後、後段設備側へ移送するようにしているので、別設に脱水手段を要し、かつ狭小な処理場ではこの別設の脱水手段を配設するスペースがなく設置不可能となり、さらには脱水手段を流水トラフと別設することで設備が複雑となり、かつその設備費が高価になるという問題があった。
【０００５】
また、流水トラフは移送水を自然流下で流し、この流水力を利用してし渣も同時に流下させるようにしているため、必要な流下力を得るために上流レベルが下流レベルよりもかなり高くなり機高も高くなるという問題があった。
【発明の開示】
【発明が解決しようとする課題】
【０００６】
本発明は、流水トラフの有する問題点に鑑み、し渣を移送水と共に円滑に搬送した後、その出口位置において移送水の水切りを行ってし渣分のみを後段設備に排出可能とした循環スクリーン式除塵機の流水トラフを提供することを目的とする。
【課題を解決するための手段】
【０００７】
上記目的を達成するため、本発明の循環スクリーン式除塵機の流水トラフは、循環スクリーン式除塵機のスクリーンのろ面を水流と平行に配設し、上流側からの水流をスクリーンのろ面の内側から外側に向けて通過させるようにした循環スクリーン式除塵機の流水トラフであって、該流水トラフを循環スクリーン式除塵機のスクリーンのろ面の内側上部に配設し、流水トラフの一端側より移送水と循環スクリーン式除塵機より掻き揚げたし渣とを供給して移送した後、流水トラフの他端側出口に、内端側を低位置でかつ複数枚のディスクを串挿した軸と流水トラフの内底部とが同じ高さとなり、出口端側を高位置になるように傾斜して複数段の階段状に配設した複数段のディスクスクリーンからなる水切り手段を設け、し渣を分離した移送水を循環スクリーン式除塵機のスクリーンの上流側に排出するようにしたことを特徴とする。
【発明の効果】
【０００８】
本発明の循環スクリーン式除塵機の流水トラフによれば、除塵機より掻き揚げたし渣を直接流水トラフに供給して移送しても該流水トラフの出口位置では水切り手段にて自然と水切り脱水処理が行われるのでし渣の後処理が簡易に行うことができるとともに、流水トラフに水切り手段が組み込まれているので、装置としても機高を抑え、かつ既設設備においても簡易に適用することができる。
【０００９】
特に、水切り手段を、複数段のディスクスクリーンを配設することにより、移送水と一緒に移送されてきたし渣の水切りが容易に行うことができる。
【００１０】
また、複数段のディスクスクリーンを、流水トラフの他端側出口に、内端側を低位置でかつ複数枚のディスクを串挿した軸と流水トラフの内底部とが同じ高さとなり、出口端側を高位置になるように傾斜して複数段の階段状に配設することにより、流水トラフ内を移送されてきたし渣は、この回転する階段状ディスクスクリーンにて順次掻き揚げられるようになって水切りが確実に行われ、かつ水切り後のし渣の排出が容易に行うことができ、かつ流水トラフの機高を抑えることができる。
【発明を実施するための最良の形態】
【００１１】
以下、本発明の循環スクリーン式除塵機の流水トラフの実施の形態を、図面に基づいて説明する。
【実施例１】
【００１２】
図１〜図３に、本発明の循環スクリーン式除塵機の流水トラフの一実施例を示す。
この循環スクリーン式除塵機の流水トラフは、除塵機Ｍ等にて掻き揚げたし渣Ｓを脱水、その他の後処理装置或いは設備へ搬送する手段として採用される。
この流水トラフ１は、一端側より移送水Ｗとし渣Ｓとを供給し、トラフ内を移送水Ｗの自然流下にて移送した後、他端側出口より排出するようにするが、この一端側、すなわち、し渣供給側端１１を高く、他端側出口、すなわち、し渣排出側端１２を低くなるように構成している。
【００１３】
この流水トラフ１の断面形状は、特に限定されるものではないが、例えば、樋形とすることによってし渣のトラフ側への引っかかりを少なくして移送を効果的に行うようにすることができる。
【００１４】
また、流水トラフ１のし渣排出側端部１２においては、水切り手段２を配設する。この水切り手段２はディスクスクリーン２１を複数段に配設して構成するもので、必要に応じて各ディスクスクリーン２１を回転させることにより流水トラフ内を移送水Ｗと共に流下移送されてきたし渣Ｓは、該ディスクスクリーン２１にて自然に、かつ容易に水切り脱水処理が行われて、流水トラフ排出端より排出される。
したがって、流水トラフ１に水切り手段２が一体になるように組み込まれているので、装置としても嵩張ることなく、機高を抑えて既設設備の除塵機においても従来の流水トラフと交換することで簡易に適用することができる。
この各ディスクスクリーン２１の構成は、特に限定されるものではないが、例えば、図１〜図２に示すように、１本の軸に複数枚のディスクを串挿し、かつ各ディスクを所定間隔となるようにして固定し、これを流水トラフ１の側板に軸受けなどを介して回転可能に支持して構成し、これを多段式に配設するとき、各段のディスクは図示のように、互いにその一部が絡み合うようにするとともに、ディスクスクリーン２１間をスプロケットホイール、チェン等の動力伝達機構を介して連結し、モータにて同時に回転駆動されるように構成する。
【００１５】
この複数段よりなるディスクスクリーン２１は、流水トラフ１の移送し渣の出口ともなるし渣排出側端１２を高位置に、し渣供給側１１に向かう内端側を低位置になるよう傾斜して複数段の階段状に配設して構成する。
この最下段のディスクスクリーン２１ａを、流水トラフの内底部位置に、そして２段目、３段目のディスクスクリーン２１ｂ、２１ｃをそれぞれ階段状に配設し、かつし渣排出側端部、すなわち、最も外側となるディスクスクリーン２１ｄを流水トラフ１の移送水面より上方位置となるように配設する。
これにより、流水トラフ内を移送されてきたし渣Ｓは、この回転する階段状ディスクスクリーン２１の内側から外側へ順次流水トラフ内より掻き揚げられるようになって出口側へ移送される。さらに、移送し渣の水切りが確実に行われ、かつ水切り後のし渣Ｓの排出及び後処理が容易に行うことができ、さらに移送水はこのディスクスクリーンの目より流出して流水トラフ下部位置に配設した排水受け（図示省略）にて受けるようにする。
【００１６】
しかも、複数段のディスクスクリーン２１よりなる水切り手段２は、図１に示すように、除塵機Ｍと組み合わせて配設する。この場合、除塵機Ｍにて掻き揚げたし渣を直接流水トラフ１のし渣供給側端内に投入又は供給するようにし、流水トラフ１の他端側出口に水切り手段２を配設するようにする。
なお、ディスクスクリーン２１の目詰まり等の故障により流水トラフ内の水位が設定値以上となる異常発生時には、設定水位以上となった移送水を、し渣供給側外端、或いは流水トラフの側部位置に配設した堰１３より自然とオーバフローするようにし、これにより流水トラフから移送水の溢れるのを防止して流水トラフ内の水位を一定に保持するようにする。
【００１７】
上述の如く構成する本発明の循環スクリーン式除塵機の流水トラフは、図３に示すように、循環スクリーン式除塵機と組み合わせて使用するが、この場合、流水トラフ１を循環スクリーン式除塵機の循環スクリーンＭｓによるろ面の内上部に配設するようにする。
これにより、除塵機の機高を高くすることなく簡易に設置することができ、かつ既設の循環スクリーン式除塵機に簡易に適用することができる。
【００１８】
次に、本発明の循環スクリーン式除塵機の流水トラフの作用について説明する。
除塵機より掻き揚げたし渣を直接流水トラフ内に投入供給すると、該流水トラフ内には給水管１４より移送水Ｗが供給され、し渣排出側端方向へ流下しているので、該投入し渣はこの流下水と共に流下移送される。
【００１９】
流水トラフのし渣排出側に達すると、移送水は複数段のディスクスクリーンの目より流出落下して排水されると共に、し渣分は回転している複数段よりなるディスクスクリーンにて捕獲されると共に、この捕獲し渣は、回転するディスクスクリーンにより順次流水トラフ端側へ移送されるとき、し渣は同時に上方向へ持ち上げられるようになって水切り脱水されてその端部より後段の配送設備、特に限定されるものではないが、例えば、別個の流水トラフ、ベルトコンベア上に落下して排出される。
【００２０】
したがって、この循環スクリーン式除塵機の流水トラフ１は、水切り機能を備えているので、し渣の移送と同時に水切りも行うことができるので後段に水切り設備を必要とすることもなく、また後段の搬送設備として流水トラフに限定されることなくベルトコンベアＢなどの選択が可能となり、その分後段設備の機高を押さえることができ、さらには低くなった下流レベルで水切り用のディスクスクリーンでし渣を持ち上げることができるので、上流側の前段設備の機高を高くする必要がなく、設備全体の機高を抑えることができる。
【００２１】
また、ディスクスクリーンの目詰まり等にて流水トラフ内の水位が上がったときには堰からオーバフローさせることで流水トラフから移送水が溢れるのを未然に防止して安全な運転が可能となる。
【００２２】
以上、本発明の循環スクリーン式除塵機の流水トラフについて、実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明の循環スクリーン式除塵機の流水トラフは、掻き揚げたし渣を移送水と共に円滑に搬送した後、流水トラフの出口位置において移送水の水切りを行ってし渣分のみを後段設備に排出するという特性を有していることから、下水処理における除塵機の掻き揚げたし渣の移送の用途に好適に用いることができるほか、例えば、河川排水処理における搬送設備、一般設備、食品関連の搬送設備の用途にも用いることができる。
【図面の簡単な説明】
【００２４】
【図１】本発明の循環スクリーン式除塵機の流水トラフの一実施例を示す縦断正面図である。
【図２】同平面図である。
【図３】本発明の循環スクリーン式除塵機の流水トラフを循環スクリーン式除塵機のろ面内上部に配設した実施例の説明図である。
【符号の説明】
【００２５】
Ｍ    除塵機
Ｓ    し渣
１    流水トラフ
１１  し渣供給側端
１２  し渣排出側端
１３  堰
１４  給水管
２    水切り手段
２１  ディスクスクリーン
【図１】
0004397897.tif 000002
【図２】
0004397897.tif 000003
【図３】
0004397897.tif 000004